(57)【要約】  有効男性性器を増大するための陰茎補助用具（２）。補助用具（２）は男性の陰茎（１４）に装着でき、 陰茎サイズを増大及び／又は陰茎形状を増補し、及び／又は男性着用者の性的遂行能力を高める。補助用具（２）は亀頭に嵌るヘッド部（２０）と、陰茎シャフト（１４）を少なくとも部分的に覆い、着用者の陰茎サイズを増大する厚壁のある垂下フィンガ（２４）を任意選択として有するボディ部（２２）とを有する第1の部分（１０）と、上記第1の部分（１０）をシャフト（１４）上に保持する保持手段として作用する第２の部分（１２）を含む。
2010515473.tif 000002
【特許請求の範囲】
【請求項１】
男性の陰茎に装着でき、該男性着用者の陰茎サイズを増大、及び／又は陰茎形状を増補し、及び／又は性的遂行能力を高めるための陰茎補助用具であって、
亀頭に嵌るヘッド部と、陰茎シャフトを少なくとも部分的に覆うボディ部とを有する第1の部分と
上記ボディ部を少なくとも覆って上記第1の部分をシャフト上に保持する第２の部分を含んで成る補助用具。
【請求項２】
前記ボディ部が、前記ヘッド部から所定長さ延びるフィンガ少なくとも１つを含んで成る、請求項１に記載の補助用具。
【請求項３】
所定長さの各フィンガ又はフィンガ縁部が各隣接フィンガ又はフィンガ縁部から間隙で離間されて成る、請求項１又は２に記載の補助用具。
【請求項４】
所定長さの各フィンガが各隣接フィンガからウェブで少なくとも部分的に離間されて成る、請求項１又は２に記載の補助用具。
【請求項５】
前記フィンガの少なくとも１つが厚壁を備えることにより、陰茎と補助用具から成る男性性器を有効に増厚して成る、請求項１〜４の何れか１つに記載の補助用具。
【請求項６】
前記フィンガの少なくとも１つ又は前記第２の部分が１つ以上の物理的構造を含んで成る、請求項１〜５の何れか１つに記載の補助用具。
【請求項７】
前記物理的構造１つ又は複数が節、こぶ、稜、襞、溝及び段の群からの形体少なくとも１つを含んで成る、請求項６に記載の補助用具。
【請求項８】
前記物理的構造が無作為に設置されて成る、請求項７に記載の補助用具。
【請求項９】
前記物理的構造複数が縦方向、横方向又は対角方向に配列されているか、又はこれら配列の組み合わせから成る、請求項７又は８に記載の補助用具。
【請求項１０】
前記フィンガの少なくとも１つが縦方向に向き、前記シャフトに沿って設置されて成る、請求項２〜９の何れか１つに記載の補助用具。
【請求項１１】
前記フィンガの少なくとも１つが横方向に配向されて成る、請求項２〜１０の何れか１つに記載の補助用具。
【請求項１２】
前記フィンガの少なくとも１つが対角方向に配向されて成る、請求項２〜１１の何れか１つに記載の補助用具。
【請求項１３】
前記体２の部分が、前記ボディ部に巻かれて該ボディ部を前記シャフトに付着保持する保持手段である、上記請求項何れか１つに記載の補助用具。
【請求項１４】
前記保持手段が前記ヘッド部に巻かれて成る請求項１３に記載の補助用具。
【請求項１５】
前記第２の部分が管状である、請求項１〜１４の何れか１つに記載の補助用具。
【請求項１６】
前記第２の部分が前記第１の部分に結合されて成る、請求項１〜１５の何れか１つに記載の補助用具。
【請求項１７】
前記ヘッド部が中実先端部である、請求項１〜１６の何れか１つに記載の補助用具。
【請求項１８】
前記ヘッド部が中空である、請求項１〜１７の何れか１つに記載の補助用具。
【請求項１９】
前記ヘッド部が振動子を含んで成る、請求項１〜１８の何れか１つに記載の補助用具。
【請求項２０】
前記第２の部分がコンドームである、請求項１〜１９の何れか１つに記載の補助用具。
【発明の詳細な説明】
【技術分野】
【０００１】
この発明は、男性局部又は性器、即ち陰茎のサイズ、形状及び／又は性的遂行能力を増大するための補助用具に関する。この発明は特に、複数部分を有する陰茎補助用具に関する。
【背景技術】
【０００２】
以下、従来の提案又は製品に言及するが、この言及は当該技術における通常の一般的知識の言明又は容認を意図するものではなく、また解されるべきではない。特に、下に述べる先行技術の考察は当業者に一般的に又は周知のものとして知られているものではなく、関連する先行技術の提案の特定がその一部に過ぎない、本発明の進歩性の理解を助けるものにすぎない。
【０００３】
遂行能力を高め、本人及び相手を満足させるため男性性器を増大することは、これまで相応の活動の対象であって、特定のものとしても、有意な商業的成長産業となっている。この分野の活動は強力であったものの、薬剤によらない陰茎の遂行能力を高める手段を提供する努力は成功していない。
【０００４】
コンドームは性行為感染症の発生の低下のため利用可能であるが、そのような用具は本来陰茎の増大のためのものではない。実際、陰茎サイズの増大を求めるとしても、そのような用具は用具壁の厚さのため、性感を減損させ、その結果、男性の感覚を減じ、相手に失望を招く傾向があった。
【０００５】
本発明が係わる男性性器は陰茎から成る。陰茎はシャフトを含み、シャフトは胴体から延び、その先端は亀頭と呼ばれる丸っこい頭部である。内部に陰茎は２つの背面及び１つの腹面の海面状管部又は組織柱状部があって、これ等は充血して勃起を生ずる。海綿状管部の１つ（海綿体）は尿道を含み、陰茎腹部に沿って延びている。尿道の端部は尿道口である。陰茎の敏感部は、未割礼の男性の包皮が付着する、繋帯と呼ばれる、亀頭とシャフト底面間の領域内の背面上の部位である。陰茎の両横半分間に見られるスジは、陰茎の腹部又は底部に沿って中央に延び、尿道から陰嚢を通って会陰（即ち、下って肛門にまで）に延びている縫線である。
【発明の概要】
【発明が解決しようとする課題】
【０００６】
本発明の目的は従来技術の上記不都合を改良して、その有用な代替を提供することにある。  
【課題を解決するための手段】
【０００７】
本発明の一態様において、
男性の陰茎に装着でき、該男性着用者の陰茎サイズを増大、及び／又は陰茎形状を増補し、及び／又は性的遂行能力を高めるための陰茎補助用具であって、
亀頭に嵌るヘッド部と、陰茎シャフトを少なくとも部分的に覆うボディ部とを有する第1の部分と
上記第1の部分を陰茎シャフト上に保持する第２の部分を含んで成る補助用具が提供される。
【０００８】
第２の部分は第１の部分に対して別個であっても、一体形成又は付着されていても良く、或いは第１の部分の一部でも良い。補助用具により達成される増大は、陰茎と補助用具を含む性器全体が所有者の陰茎より大きく、厚く及び／又は長くなると云う点で、陰茎全体の有効サイズを増大させることで良い。
【０００９】
陰茎のサイズはその長さを、亀頭及び尿道口を超えて長さ方向に延びるヘッド部の装着より増大させることができる。陰茎の厚みは、シャフトに沿って少なくとも部分的に拡がっていることで、性交中に相手の膣に入る男性性器の径を増大させることができる。
【００１０】
陰茎の形状は、性戯及び性交中に相手に増大した刺激を与えることができる拡大亀頭部及び増厚シャフト部を設けることにより、増強させることができる。
【００１１】
男性着用者の性的遂行能力は第１の部分により、尿道、小繁帯及び／又はシャフトに増大した刺激を生じさせることにより、高められる。
【００１２】
陰茎補助用具は、第１及び第２の部分が一緒になった単一品で良い。例えば、第１の部分は、シャフトに嵌るスリーブがルーズ又はファームフィットの何れかのもので良い。スリーブは一般的に円筒状構造のもので良い。スリーブは、厚みが均一な１つ以上の壁から成る。だが、ボディ部は厚みが可変の部分を含むのが好ましい。好ましくは、これ等可変部は、相補溝形をもつ襞又は稜構造で良い。これ等可変部は長さ方向、横方向又は対角方向に（螺旋状等の）配置されて良い。これ等可変部は、格子又は他の規則的パターンで規則的に、又は無秩序（無作為）に配置されたこぶ又は節で良い。
【００１３】
或いはまた、用具は分離された、又は分離可能な第１及び第２の部分から構成されるようにしても良い。用具は３つ以上の部分、例えば、シャフト部、ヘッド部及び保持部分から成るようにしても良い。
【００１４】
男性着用者は好ましくは、健康な男性である。だが、着用者は勃起不全状態の者でも良く、この状態は、シャフト領域全体及び亀頭への刺激を増大して、背面海面管（海綿体）及び尿道海綿体の充血を促すことにより改善される。何れにせよ、健康な男性でも陰茎補助用具から高められた刺激を得、それにより高揚した、長時間持続する性的遂行を達成することができる。
【００１５】
第１の部分は好ましくは、陰茎形状の増補を達成する。例えば、陰茎に追加の長さ及び／又は厚みを与えるようにして良い。通常陰茎上には無い形状に変化、特に筋又は塊、又は通常陰茎には見られない他の変化を用いることの等により輪郭に変更を付与することができる。
【００１６】
ヘッド部は、輪郭が滑らかで着用者の相手に不快感を生じさせない、比較的堅い又は固い先端部を備えるようにしても良い。ヘッドは所望の種々の形状で設けることができる。ヘッド部は振動子を含んで、刺激を高めるようにしても良い。ヘッド部は柔らかく、丸っこく、且つ実際の陰茎と軟硬度が同様のものであって、任意選択としてより大きいものが良い。ヘッド部は好ましくは、コンドームと同様に精液を保持するための中空の溜部を含むようにする。ヘッド部は好ましくは、中空であって、一定幅の亀頭形状及びサイズを収容するのに順応性又は柔軟性が十分なものとする。或いはまた、ヘッド部は一定幅の寸法で設けられ、サイズの異なる陰茎を収容できるようにする。
【００１７】
ヘッド部は、コンドームで見られるようなラテックス又はポリウレタンの薄膜等の薄い材料から成る壁又は壁等で構成されるようにして良い。ヘッド部は、好ましくは外部膜面がラテックス、ポリウレタン又はシリコーン樹脂、好ましくは医療用シリコーン樹脂等の精液不浸透性及び感染症抵抗性バリアから成ることに鑑み、内部層として天然又は合成ゴムから成る弾性海綿質材料の増厚壁を含むようにすることができる。ヘッド部は好ましくは、無孔性であって、液体に対して不浸透性のものとする。中空ヘッド部は潤性、殺精子性及び／又は他の殺微生物性液体、物質及び／又は層を含むことにより、刺激作用を高め、且つ/或いは疾患感染の危険を低減するようにすることができる。ヘッド部は着用者への刺激を強めるため、塊及び/又は筋等の輪郭又は面の形状変化を含むようにすることができる。
【００１８】
ボディ部は好ましくは、ヘッド部から垂下する長さ方向の材料フィンガ又はストリップ１つ以上を画成する長さ方向のスリット又は拡大線を含むようにする。該１つ以上のスリットは、１フィンガの対向縁のフィンガ間の間隙少なくとも１つの形態のもので良く、男性局部のシャフトに当接するとフィンガ又はフィンガ等が拡がって亀頭に嵌り、且つ/或いは大きさの異なる男性局部を収容できるようにすることができる。１つ以上のフィンガは、筋、稜、こぶ又は突起等の輪郭形状を有する増圧長材料から成るようにしても良い。一実施態様において、これ等の形状を内側に面するように付与して、着用者の快感を高めるようすることができる。或いはまた、相手方のため、形状を外側に面するように設計しても良い。
【００１９】
フィンガ等はシャフト基部に向かって延び、それ等夫々の端部を「自由端」とすることができる。フィンガ等はそれ等の「自由端」においてリングや円形リボンで結ばれ、フィンガ等の間隔を比較的均一にしても良い。或いはまた、フィンガ等の夫々の自由端は近接するフィンガ等とは無関係（無接触)にする。
【００２０】
第２の部分は、亀頭をシャフトに至るまで覆う第１の部分上を有効に滑り、巻き延ばされるシース（鞘）であって良い。第２の部分は好ましくは、円筒状の形状である。それは着用者に巻き形態で提供され、亀頭からシャフト基部までコンドームと同様に巻き出されるようにして良い。第２の部分は、ヘッド部を覆うに適したヘッドカバーを含んで良い。第２の部分はコンドームで良い。
【００２１】
第２の部分は好ましくは、第１の部分を所定位置に保持する保持手段である。これは、フィンガがそれ等の自由端で繋がれず、第１の部分が感染性接触又は移入に対して男性局部を封止しない場合に有用である。  
【００２２】
第１の部分は、より硬い内部芯層を覆う軟質カバーを含むことができる。軟質カバーは、第１の部分の一部又は全部の内外面に線を付すようにしても良い。第１の部分は、シリコーン樹脂、ポリウレタン、ラテックス及び/又は他の軟質プラスチック材料から成るようにしてもよいが、用いられるどんな材料も国際規格（ＩＳＯ４０７４−１：１９９６（Ｅ））に従うべきことに鑑み、好ましくは医療用シリコーン樹脂で組成するようにする。第１の部分は、グリップを与え、第１の部分を所定位置に保持するのを助ける粘着性組織及び/又は面質を有するものが良い。好ましくは、第１及び第２の部分を潤滑性のものとする。亀頭の一部又は全体を覆う用具の最上又はヘッド部は、第１及び/又は第２の部分の何れを形成するかに拘わらず、硬化して強度を高めるのが良い。
【００２３】
第１の部分を単体で用いても良いが、そのような場合、第１の部分が確実に所定位置に有効に固定されるように第２の部分が第１の部分の一部を形成することになることが注目される。だが、好ましくは第２の部分は第１の部分に対する弁別的部品であり、第１の部分のための保持手段として作用するように設けられる。それにもかかわらず、代替的態様では、フィンガ間に伸縮自在な弾性材料を設け、第２の部分保持手段として機能するようにする。フィンガ間に設ける橋絡保持手段は標準的コンドームと同様の軟度と厚みのもので、ラテックス又はポリウレタン、好ましくはシリコーン樹脂、より好ましくは医療用シリコーン樹脂で組成すると良い。第１の部分は均質材料から成るようにして良いが、部位の厚みの変化はフィンガ、橋絡保持手段及びヘッド部等の各部位の異なる機能性を達成する一次変数である。これに関連して、第１及び第２の部分は通常のコンドーム製造と同様に射出成形法により製造して良いが、可変厚みの複雑な曲線及び特徴は、対向縁で接合されてシームを形成することとなる別個の半体又は単一の実質的平面状ブランクの成形を要することにもなろう。だが、好適は実施態様においては、第１の部分は材料種の異なる、軟質で粘着質の内層とこれが接着される硬質層等の多層から形成される。好ましくは、第１と第２の部分は加圧下で成形される。用具の部分はシリコーン又はシリコーンベース材、好ましくは医療用シリコーン樹脂で構成すると良い。
【００２４】
保持手段は、第１の部分を包むのに適したものとすることができる。保持手段は、グリップを与え、第１の部分を所定位置に保持するのを助けるような粘着性組織及び/又は面質を有するものが良い。保持手段は適宜の形状で設けることができる。例えば、保持手段はシート状、方形、矩形又は他の所望の形状で設け、第１の部分を包み、包囲し、覆い及び/又は他の様式で保持することができるそのような例では、繋がれるべき縦方向自由縁は、厚みが十分な感圧、再位置決め可能な接着剤でそれぞれライニングされ、過酷な使用に耐えるようにしても良い。
【００２５】
或いはまた、保持手段は管状とすることにより、シャフト上の位置決めのため亀頭上に亘って伸びるようにする。
【００２６】
保持手段は、ボディ部のみを覆ってヘッド部を自由のままにするか、第１の部分のボディ及びヘッド両部が保持手段により覆われるようにしても良い。ボディ部がシャフト全体を覆わない場合、例えばボディ部が、間隙で分離され、長さ方向に延びるフィンガを有する場合、保持手段はシャフトに直接接触して用具を所定位置に保持するのを助ける。
【００２７】
保持手段は、シャフトに沿って巻かれ、又はシャフトの周りに巻き付けられ、保持手段の着脱を容易にするように、柔軟な伸縮性材料から組成されるのが好ましい。柔軟な伸縮性材料として、軟質ラテックス又は軟質プラスチックを用いることができ、シリコーン樹脂又はシリコーンベース材料、好ましくは医療用シリコーン樹脂で構成すると良い。
【００２８】
保持手段は、亀頭及び/又はシャフトの周りのその有効径を均一又は選択的に拡げる物理構造を含むことができる。物理構造は、横方向、縦方向又は対角方向に延びる塊(lumps)、突起、こぶ(knobs)、襞(ribs)、稜、又はこれ等の２つ以上の組み合わせのもので良い。保持手段の物理構造は、ボディ部の物理構造に対して補完的なものとしても良い。或いはまた、保持手段の物理構造は、ボディ部及び/又はヘッド部の対応物理構造に対して補完的なものとしても良い。一例として、塊（こぶ）及び/又は襞（リブ）を第１の部分及び/又は保持手段の下、又は層間に設けても良い。
を
【００２９】
物理構造は、クッション性を与え、快感を高めるための流理セル及び/又はコンジットの網状組織を含んでも良い。物理構造は、空気、水又は潤滑剤を保持、又はこれを適宜のバルブ及び/又は引入れ口を介して受容するのに適したものでも良い。
【００３０】
保持手段は第１の部分に対して、接合したものでも、別個のものでも良い。保持手段は、保存中は巻き形式のものとして良く、ボディ部の最上部又は基部の何れかに接合されていても良い。保持手段を第１の部分とは別個のものとした場合には、保持手段は第１の部分と別包装にするか、一緒に包装するか何れでも良い。保持手段はコンドームでも良い。
【００３１】
コンドームを、単独で用いられる第１又は第２の部分、又は共に用いられる第１及び第２の部分と共に用いるようにし、用具が確実に所定位置に留まり、精液の漏れ及び/又は微生物感染の機会を低減するのが好ましい。
【００３２】
補助用具は、振動子等の無生物に取り付けて用いることができる。
本発明の好適な諸特徴を以下、特に添付図面を参照して述べる。だが、図面に関して例示、記載される諸特徴は本発明の範囲に付いて限定的に解釈されるべきでないと理解されるべきである。
【図面の簡単な説明】
【００３３】
【図１（ａ）】本発明の補助用具の第１の実施態様の側面図である。
【図１（ｂ）】図１ａの補助用具の第２の部分を裏返した状態で示した側面図である。
【図１（ｃ）】本発明の一実施態様による第１の部分の側面図である。
【図２】本発明のもう一つの実施態様による第２（１）の部分の側面図である。
【図３】本発明のもう一つの実施態様による第２の部分の平面図である。
【図４】本発明の更にもう一つの実施態様の斜視図である。
【発明を実施するための形】
【００３４】
これ等種々の図は必ずしも同一尺度で描かれていないものと、直ちに理解されるであろう。
【００３５】
図１ａに示すように、陰茎補助用具２は陰茎を覆うのに適する第１の部分１０を含む。この実施態様では、用具２は亀頭（覆い隠されている）を覆うためのヘッド２０を含む。第１の部分１０はまた、陰茎シャフトに沿って延びるボディ部を有し、該ボディ部は使用中に、包皮状の第２の部分１２で包まれる。第２の部分１２はまた、第１の部分（ヘッド部２０及びボディ部（覆い隠されている））全体を包むようにして良い。第２の部分１２は管状で、亀頭上を滑り、シャフト上に固定されるようにすると良い。第１と第２の両部分をコンドーム（図示しない）と共に用いても良い。従って、使用において、第１の部分１０を先ず陰茎上に装着して位置付けた後、第２の部分１２を亀頭及び／又はシャフト上に滑らせ、巻くようにして第１の部分の保持手段として働くようにする。
【００３６】
図１ａに示すように、この実施態様ではヘッド部２０は第２の部分１２で覆われる。
【００３７】
図１ｂに示すように、第２の部分１２を、壁を厚くした管状として外面１３をシャフト１４から離間させることにより、第２の部分１２の径が陰茎シャフト１４の径より有意に大きくなるようにする。従って、第２の部分１２はシャフト１４の厚みを加えるのに用いることができる。或いはまた、第２の部分１２を図３に示すようにシート状にしてシャフト１４を巻き、厚みを増すようにしても良い。塊及び／又は襞、節、稜、段及び／又は溝を第２の部分の内面又は外面、又はそれ等層間に設け、この部位の感覚を所有者及び相手のために増大するようにしても良い。
【００３８】
図１ｃにおいて、第１の部分１０は亀頭（図示しない）を覆うヘッド部２０を含み、ヘッド部２０はボディ部２２に、ラテックス又はポリウレタン、又はシリコーン樹脂、好ましくは医療シリコーン樹脂等の単一材料源から射出成形されて付着結合される。その結果、ヘッド部２０とボディ部２２を射出成形法により加圧下で一体に形成することができる。或いはまた、これ等部品を別々に形成し、次いで加熱溶接で結合させ、及び／又は非アレルギー性接着剤を用いて接合し、及び／又は多層が形成される多段工程で形成することができる。  
【００３９】
図１ｂ及び１ｃを参照して、第２の部分１２は図１ｂに示すように、その内部が外に面している。そこで、第２の部分１２がその内部に第１の部分１０を封入するようにする。そのため、第２の部分１２を第１の部分１０と一直線状に並べて、夫々の先端３及び４が相互に面するようにする。第２の部分１２を第１の部分１０に対して押し付けるに従い、内側が外に向いた第２の部分１２は裏返しになって、第１の部分１０のヘッド部２０とボディ部２２に亘って拡がって行く。その結果、先端カバー３０の、初めに外側に面していた内側がヘッド部２０を覆い、第２の部分１２の外面１３がボディ部２２を覆うようになる。
【００４０】
ボディ部２２はシャフトに嵌るようにしてある。ボディ部２２は、複数の垂下フィンガ２４を含むものであり、隣接フィンガ２４間に１つ以上のスリット２６を形成して成る。第１の部分１０の材料及び厚みは、陰茎に装着されたときフィンガ２４が形状を保持できるが、乱暴な使用下ではそれ等自体の形状を保たないようにすると良い。これにより、保持手段１２を嵌めたときのフィンガ２４の位置付けが容易になる。フィンガ２４は好ましくは、シャフトサイズの変更に応ずるのに十分な厚さ（例えば、１〜５ｍｍ、１〜１０ｍｍ以上）とする。フィンガ２４は間隔を広げて大サイズを収容でき、或いはこの間隔を詰めて又は重なり合うようにして小サイズを収容できるようにすると良い。この実施態様では、ヘッド２０ａを、任意選択として振動子を組み込んだ、医療用シリコーン樹脂から成る固体先端部として設ける。使用に際して、第２の部分１２を第１の部分１０に被せてフィンガ２４を固定し、好ましくはフィンガ２４がシャフトの周りに一定間隔で配置されるようにすると良い。
【００４１】
図２に関して、ボディ部４２の全体形状を変え、結果として、形状の異なる男性局部用具をもたらすようにした第１の部分のもう１つの態様４０が示されている。第１の部分のこの態様４０では、フィンガ４４は大きな間隙４６で分離され、結果としてこの用具の使用中にフィンガ４４に対応する顕著な縦稜を有するようにする。第１の部分４０には、精液の溜めを提供する小さい中空先端部４８を有するヘッド部４０ａが含まれる。任意選択として、フィンガ４４を可撓性材料の基部リング５０で繋げ、使用中にフィンガ４４が同一間隔で離間するようにする。第１の部分４０のもう１つの変更例では、フィンガ４４間にウェブ状に延びる橋絡フィルムを間隙４６に充填して、第１の部分４０を陰茎に亘って伸ばし、張力下で確実に固定するのに適した伸縮自在の弾性ウェブを設けるようにすることができる。このような実施態様においては、第２部分保持手段はウェブと見做される。リング５０は平らなリボン状＊として、その起こり得る圧迫帯効果を最小限にすることができる。
【００４２】
ヘッド部４０ａは内部に潤滑膜又は物質及び／又は殺生物質を設けても良い。
【００４３】
図２はまた、第１の部分４０のボディ４２は、これは第２の部分（図示せず）がシャフトに直接接触するのを可能にするので、シャフト全体を必ずしも覆わなくても良いことを示している。そのような配置では、位置４６におけるウェブ材は勿論要しない。
【００４４】
図３に示すように、第２の部分１２を、第２の部分１２がシャフトに、また第１の部分１０に一たん巻かれると、第２の部分１２の材料の残部に取り外し自在に付着するに適した一片の再位置決め自在の接着剤５２を有する一矩形巻きの膜状材料としても良い。或いはまた、第２の部分１２の材料は自己接着性高分子材料（低密度ポリエチレン等）であって、接着ストリップ５２を要しないようにする。
【００４５】
図４に、ヘッド部２０ｂとボディ部２２ｂから成る第１の部分１０ｂを含むようにした、本発明のもう１つの実施態様を示す。ボディ部２２ｂには４つの等間隔で離間されたフィンガ２４ｂが含まれ、各フィンガ２４ｂはその近接対から、亀頭３０の基部近傍からシャフト２８の基部に延びる縦スリット又は間隙２６ｂにより分離されている。第１の部分１０ｂは内部が中空で、内部壁３２、３４で画成されている。第１の部分１０ｂは、着用者のシャフト（図示せず）の径を、０．５から１０ｍｍまで変化しても良い、壁３６で示された厚みだけ増やすのに十分厚い。スリット又は間隙２６ｂは拡大でき、異なる着用者のサイズを収容できるようにする。
【００４６】
ヘッド部２０ｂは比較的海綿状の組織の、任意選択として潤滑剤を含浸した、ポリウレタン等の高分子材料から成る球根状先端部３８で構成されている。或いはまた、先端部３８を、任意選択として小振動子を備えた、シリコーン樹脂、好ましくは医療用シリコーン樹脂等の硬質又は固体材料から成るようにしても良い。
【００４７】
本明細書及び請求の範囲を通して、用語「構成される」「から成る」及びその派生語は、特記の無い限り、排他的ではなく包括的意味を有するようにする意図である。
【００４８】
上下方向、水平方向、トップ、底部、上方及び下方等の、本明細書及び請求項を通しての配向用語は関係的なもの解釈されるべきあり、部品、品目、品物、用具、器具又は道具は通常、一般的にはヘッド部が最上部にあると云う特定の配向で考えられると云う前提に基づく。
【００４９】
上記発明の方法には、発明の精神と範囲を逸脱することなく、種々の修正又は変更を加え得ることは当業者の理解するところであろう。
【符号の説明】
【００５０】
２        陰茎補助用具
３        第２の部分の先端
４        第１の部分の先端
１０      第１の部分
１０ｂ          第１の部分
１２      第２の部分
１３      第２の部分の外面
１４      陰茎シャフト
２０      ヘッド部
２０ｂ          ヘッド部
２２      ボディ部
２２ｂ          ボディ部
２４      フィンガ
２４ｂ          フィンガ
２６      スリット
２６ｂ          スリット又は間隙
３０      先端カバー
３２      内部壁
３４      内部壁
３６      壁
３８      丸っこい先端部
４０      第１の部分
４０ａ          ヘッド部
４２      ボディ部
４４      フィンガ
４６      大間隙
４８      中空先端部
５０      基部リング
５２      接着材ストリップ 
【図１（ａ）】
2010515473.tif 000003
【図１（ｂ）】
2010515473.tif 000004
【図１（ｃ）】
2010515473.tif 000005
【図２】
2010515473.tif 000006
【図３】
2010515473.tif 000007
【図４】
2010515473.tif 000008
【国際調査報告】
2010515473.tif 000009
2010515473.tif 000010
2010515473.tif 000011